(57)【要約】      （修正有）【課題】かごの内側からの作業のみによって取り付けることが可能なエレベータかごのかご内用品組立体、および、かご内用品組立方法を提供する。【解決手段】開口３１が設けられたエレベータかごの側板１６に対して組み立てられたかご内用品組立体は、側板１６の内側に配置されたかご内用品２０と、側板１６に係止された固定部材４０と、固定部材４０にかご内用品２０を側板１６の内側から締結した締結部材５０と、を備え、固定部材４０は、締結部材５０が螺合された螺合部５２を有する、側板１６の外側に配置された本体部４１と、本体部４１を側板１６に係止した係止部４２と、を有し、係止部４２は、本体部４１に固定された基部と、側板１６の内側に当接した先端部４４と、開口３１を貫通し、基部と先端部４４とを連結し、基部及び先端部４４に対して折り曲げられた折り曲げ部４５と、を含む。【選択図】図３
2018203452.tif 000002
【特許請求の範囲】
【請求項１】
開口が設けられたエレベータかごの側板に対して組み立てられたかご内用品組立体であって、
前記側板の内側に配置されたかご内用品と、前記側板に係止された固定部材と、前記固定部材に前記かご内用品を前記側板の内側から締結した締結部材と、を備え、
前記固定部材は、
前記締結部材が螺合された螺合部を有する、前記側板の外側に配置された本体部と、
前記本体部を前記側板に係止した係止部と、
を有し、
前記係止部は、
前記本体部に固定された基部と、
前記側板の内側に当接した先端部と、
前記開口を貫通し、前記基部と前記先端部とを連結し、前記基部及び前記先端部に対して折り曲げられた折り曲げ部と、を含む
ことを特徴とするエレベータかごのかご内用品組立体。
【請求項２】
前記係止部の前記折り曲げ部は、互いに離間した一対の要素折り曲げ部を含んでいることを特徴とする請求項１に記載のエレベータかごのかご内用品組立体。
【請求項３】
前記一対の要素折り曲げ部は、前記螺合部の両外側に配置されている
ことを特徴とする請求項２に記載のエレベータかごのかご内用品組立体。
【請求項４】
前記係止部は、一対の線材によって形成されていることを特徴とする請求項１に記載のエレベータかごのかご内用品組立体。
【請求項５】
前記本体部の前記側板側の面において、前記螺合部の周囲に隆起部が設けられていることを特徴とする請求項１〜４のいずれか一項に記載のエレベータかごのかご内用品組立体。
【請求項６】
前記かご内用品は、手摺、操作盤、表示装置、鏡又は荷摺であることを特徴とする請求項１〜５のいずれか一項に記載のエレベータかごのかご内用品組立体。
【請求項７】
エレベータかごの側板に対してかご内用品を組み立てる、エレベータかごのかご内用品組立方法であって、
締結部材を準備する工程と、
前記締結部材が螺合される螺合部が設けられた本体部、並びに、前記本体部に固定された基部、先端部、及び、前記基部と前記先端部とを連結し、前記基部及び前記先端部に対して折り曲げ可能な折り曲げ部、を含む係止部、を有する固定部材を準備する工程と、
前記側板に開口を設ける工程と、
前記固定部材の前記本体部の少なくとも一部及び前記基部の少なくとも一部を前記側板の内側から前記開口に挿入し、前記折り曲げ部を折り曲げ、前記本体部を前記側板の外側に配置し、前記折り曲げ部を前記開口に貫通させ、前記先端部を前記側板の内側に当接させて、前記固定部材を前記側板に係止する工程と、
前記側板の内側に前記かご内用品を配置し、前記締結部材を、前記側板の内側から前記螺合部に螺合させて、前記かご内用品を前記固定部材に締結させる工程と、
を備えたエレベータかごのかご内用品組立方法。
【発明の詳細な説明】
【技術分野】
【０００１】
本発明の実施の形態は、エレベータかごのかご内用品組立体およびかご内用品組立方法に関する。
【背景技術】
【０００２】
一般に、エレベータかごの内側には、操作盤や表示装置、手摺、鏡、荷摺等のかご内用品が設けられている。これらのかご内用品は、エレベータかごの外側に固定された固定金具に、ボルトおよびナット等を含む締結部材を用いて締結される。このため、エレベータかごにかご内用品を取付ける場合、エレベータかごの内側の作業と外側の作業とが行われるか、あるいは、エレベータかごの側板が取り外される。
【先行技術文献】
【特許文献】
【０００３】
【特許文献１】特開２００８−２８５２５３号公報
【発明の概要】
【発明が解決しようとする課題】
【０００４】
しかしながら、上述の方法は、複数の作業者を必要とするか、あるいは、側板の取外し作業および取付け作業を必要とするため、作業効率が悪い。
【０００５】
本発明は、このような点を考慮してなされたものであり、側板を取り外すことなく、エレベータかごの内側からの作業のみによってエレベータかごにかご内用品を取り付けることが可能なエレベータかごのかご内用品組立体、および、かご内用品組立方法を提供すること、を目的とする。
【課題を解決するための手段】
【０００６】
一実施の形態によるエレベータかごのかご内用品組立体は、開口が設けられたエレベータかごの側板に対して組み立てられたかご内用品組立体であって、側板の内側に配置されたかご内用品と、側板に係止された固定部材と、固定部材にかご内用品を側板の内側から締結した締結部材と、を備えている。固定部材は、締結部材が螺合された螺合部を有する、側板の外側に配置された本体部と、本体部を側板に係止した係止部と、を有している。係止部は、本体部に固定された基部と、側板の内側に当接した先端部と、開口を貫通し、基部と先端部とを連結し、基部及び先端部に対して折り曲げられた折り曲げ部と、を含んでいる。
【０００７】
また、一実施の形態によるエレベータかごのかご内用品組立方法は、エレベータかごの側板に対してかご内用品を組み立てる、エレベータかごのかご内用品組立方法であって、締結部材を準備する工程と、締結部材が螺合される螺合部が設けられた本体部、並びに、本体部に固定された基部、先端部、及び、基部と先端部とを連結し、基部及び先端部に対して折り曲げ可能な折り曲げ部、を含む係止部、を有する固定部材を準備する工程と、側板に開口を設ける工程と、固定部材の本体部の少なくとも一部及び基部の少なくとも一部を側板の内側から開口に挿入し、折り曲げ部を折り曲げ、本体部を側板の外側に配置し、折り曲げ部を開口に貫通させ、先端部を側板の内側に当接させて、固定部材を側板に係止する工程と、側板の内側にかご内用品を配置し、締結部材を、側板の内側から螺合部に螺合させて、かご内用品を固定部材に締結させる工程と、を備えている。
【図面の簡単な説明】
【０００８】
【図１】図１は、本発明の第１の実施の形態におけるエレベータかごの構成を示す概略図である。
【図２】図２は、図１のエレベータかごの内側を示す斜視図である。
【図３】図３は、第１の実施の形態に係るエレベータかごのかご内用品組立体の概略構成の一例を示す分解斜視図である。
【図４】図４は、図３に示すかご内用品組立体の背面図である。
【図５】図５は、図４に示すかご内用品組立体のＶ−Ｖ線断面図である。
【図６】図６は、図３に示すかご内用品組立体に用いられる固定部材であって、エレベータかごの側板に係止される前の固定部材を示す斜視図である。
【図７】図７は、図６に示す固定部材を示す本体部側から見た斜視図である。
【図８】図８（ａ）〜（ｄ）は、図６に示す固定部材をエレベータかごの側板に係止する方法を説明するための概略図である。
【図９】図９は、本発明の第２の実施の形態に係るエレベータかごのかご内用品組立体の概略構成の一例を示す分解斜視図である。
【図１０】図１０は、図９に示すかご内用品組立体の背面図である。
【図１１】図１１は、図９に示すかご内用品組立体に用いられる固定部材であって、エレベータかごの側板に係止される前の固定部材を示す斜視図である。
【図１２】図１２（ａ）〜（ｄ）は、図１１に示す固定部材をエレベータかごの側板に係止する方法を説明するための概略図である。
【発明を実施するための形態】
【０００９】
以下、図面を参照して本発明の実施の形態について説明する。
【００１０】
（第１の実施の形態）
まず、図１乃至図８を用いて、第１の実施の形態によるエレベータかごのかご内用品組立体について説明する。
【００１１】
図１は、本発明の第１の実施の形態に係るエレベータかごを示す。図１に示すエレベータかご１０では、縦枠１１と、縦枠１１の下端に取り付けられた下梁１２と、縦枠１１の上端に取り付けられた上梁１３と、からなるかご枠構造１０ａによって、かご室１５が支持されている。かご室１５は、かご室１５の側壁を成す側板１６と、かご床１７と、天板１８と、かごドアパネル１９ａ，１９ｂと、を含む。かご床１７は、床枠構造１７ａによって支えられている。
【００１２】
図２には、上述したエレベータかご１０の内部が示されている。エレベータかご１０の内側において、側板１６には、様々なかご内用品２０が取り付けられている。図２に示す例では、かご内用品２０として、利用者がドアの開閉操作や行き先階登録を行うための操作盤２０ａ、エレベータかご１０の運転状況を表示する表示装置２０ｂ、手摺２０ｃ、鏡２０ｄ、荷摺２０ｅ、が設けられている。図２に示す例では、手摺２０ｃは、手摺り棒２０ｃａと、側板１６に取り付けられて手摺り棒２０ｃａを支持するブラケット２０ｃｂとを含む。
【００１３】
次に、図３乃至図８を参照して、かご内用品を含むかご内用品組立体について説明する。以下では、かご内用品２０として、手摺２０ｃを例に挙げて説明する。
【００１４】
図３は、かご内用品組立体の概略構成の一例を示す分解斜視図である。また、図４は、図３に示すかご内用品組立体の背面図であり、図５は、図４に示すかご内用品組立体のＶ−Ｖ線断面図である。
【００１５】
図３乃至図５に示すように、かご内用品組立体３０は、開口３１が設けられたエレベータかご１０の側板１６に対して組み立てられている。かご内用品組立体３０は、側板１６の内側に配置されたかご内用品２０ｃと、側板１６に係止された固定部材４０と、固定部材４０にかご内用品２０ｃを側板１６の内側から締結したボルト等の締結部材５０と、を備えている。かご内用品２０ｃのブラケット２０ｃｂは、締結部材５０が挿通された挿通孔５１を有している。
【００１６】
図３乃至図５に示すように、固定部材４０は、側板１６の外側に配置された本体部４１と、本体部４１を側板１６に係止した係止部４２と、を含む。図３乃至図５に示す例において、本体部４１は、全体として直方体の形状を有している。なお、以下では、本体部４１の厚み方向Ｔ（後述する螺合部５２が延びる方向）の両側に位置する２つの面のうち、固定部材４０が側板１６に係止された状態において側板１６の側に位置する面を側板側面４１ａと称し、側板側面４１ａに対向する面を背面４１ｂと称する。また、本体部４１の幅方向Ｗ（側板側面４１ａの短手方向）の両側に位置する２つの面を、側面４１ｃ，４１ｄと称する。また、本体部４１の長手方向Ｌの両側に位置する２つの面のうち、固定部材４０が側板１６に係止された状態において上方に位置する面を天面４１ｅと称し、下方に位置する面を底面４１ｆと称する。
【００１７】
本体部４１は、締結部材５０が螺合された螺合部５２を有する。図５に示すように、螺合部５２は、本体部４１の側板側面４１ａから背面４１ｂに向かって、本体部４１の厚み方向Ｔに延びている。
【００１８】
本体部４１の側板側面４１ａには、螺合部５２の周囲に隆起部５３が設けられている。隆起部５３により、側板１６の厚みの分だけ生じる固定部材４０の本体部４１とかご内用品２０ｃとの間の隙間が、隆起部５３の厚みの分だけ小さくなっている。
【００１９】
係止部４２は、本体部４１に固定された基部４３と、側板１６の内側に当接した先端部４４と、基部４３を先端部４４とを連結し、基部４３及び先端部４４に対して折り曲げられた折り曲げ部４５と、を含む。折り曲げ部４５は、開口３１を貫通している。以下、図６及び図７を参照して、固定部材４０についてさらに詳細に説明する。
【００２０】
図６及び図７に、側板１６に係止される前の固定部材４０を示す。図６及び図７から理解されるように、固定部材４０が側板１６に係止される前、係止部４２は、全体として本体部４１の長手方向Ｌに沿って延びている。係止部４２は、金属など、人間の手で折り曲げることが容易な材料で構成されていることが望ましい。
【００２１】
図６及び図７に示す例では、係止部４２の基部４３は、螺合部５２と干渉しないよう、本体部４１の螺合部５２と底面４１ｆ側の端部との間の領域に配置されている。より詳しくは、基部４３は、コの字型をしており、本体部４１の側板側面４１ａの一部と両側面４１ｃ，４１ｄの一部とを覆っている。基部４３は、本体部４１に溶接などによって固定されている。
【００２２】
先端部４４は、平板である。図６及び図７に示すように、固定部材４０が側板１６に係止される前、先端部４４は、本体部４１の螺合部５２よりも上方の領域において、本体部４１の側板側面４１ａに沿って延びている。
【００２３】
折り曲げ部４５は、固定部材４０が側板１６に係止される前、基部４３と先端部４４との間において、全体として本体部４１の側板側面４１ａに沿って延びている。また、折り曲げ部４５は、基部４３および先端部４４に対して折り曲げ可能である。図３乃至図７に示す例では、折り曲げ部４５は、互いに離間した一対の要素折り曲げ部４５ａ，４５ｂを含んでいる。これにより、図６及び図７に示す折り曲げ部４５を基部４３および先端部４４に対して容易に折り曲げることができるようになっている。また、図６及び図７に示すように、各要素折り曲げ部４５ａ，４５ｂは、螺合部５２の両外側に配置されている。これにより、図３乃至図５に示すように折り曲げ部４５が基部４３および先端部４４に対して折り曲げられた状態において、各要素折り曲げ部４５ａ，４５ｂは螺合部５２の両外側に位置し、螺合部５２と干渉しないようになっている。
【００２４】
図６及び図７に示す各要素折り曲げ部４５ａ，４５ｂは、基部４３および先端部４４に対してさらに容易に折り曲げることができるよう、湾曲していてもよい。
【００２５】
図６及び図７に示す固定部材４０の係止部４２が折り曲げ部４５において折り曲げられ、図５に示すように、本体部４１が側板１６の外側に配置され、折り曲げ部４５が側板１６の開口３１を貫通するように配置され、先端部４４が側板１６の内側に当接されることによって、固定部材４０は側板１６に係止される。固定部材４０が側板１６に係止された状態において、一対の要素折り曲げ部４５ａ，４５ｂは、螺合部５２の両外側に配置されている。
【００２６】
なお、側板１６に設けられた開口３１の寸法は、図３乃至図５に示す例においては、以下のような寸法である。すなわち、開口３１の寸法は、本体部４１の底面４１ｆの寸法よりも十分に大きい。したがって、開口３１の寸法は、固定部材４０を本体部４１の側板側面４１ａを水平方向に向けた状態で固定部材４０の本体部４１及び基部４３を、開口３１に挿入することができる、というような寸法である。しかしながら、開口３１の寸法は、固定部材４０の本体部４１の側板側面４１ａ及び背面４１ｂの寸法よりも十分に小さい。したがって、開口３１の寸法は、側板側面４１ａを鉛直方向に向けた状態では本体部４１を開口３１に挿入することができない、というような寸法である。もちろん、開口３１の寸法は、本体部４１の側板側面４１ａ及び背面４１ｂの寸法よりも十分大きくてもよく、側板側面４１ａを鉛直方向に向けた状態で本体部４１を開口３１に挿入することができる、というような寸法であってもよい。
【００２７】
次に、このような構成からなる第１の実施の形態の作用、すなわち、かご内用品組立体の側板への組立方法について図３乃至図８を参照しながら説明する。
【００２８】
まず、側板１６に開口３１を設ける。開口３１は、かご内用品２０ｃのブラケット２０ｃｂに設けられた挿通孔５１に対応する位置に設けられる。
【００２９】
次に、固定部材４０を側板１６に係止する。具体的には、図６及び図７に示すような、折り曲げ部４５が折り曲げられる前の固定部材４０を準備する。そして、図８（ａ）に示すように、固定部材４０の本体部４１の側板側面４１ａが下を向くようにして側板側面４１ａを水平にした状態で、本体部４１及び係止部４２の基部４３の少なくとも一部を、側板１６の内側から開口３１に挿入する。次に、図８（ｂ）に示すように、開口３１の上縁に固定部材４０の本体部４１の背面４１ｂを当接して、先端部４４を本体部４１から離れる方向（下方向）に引っ張り折り曲げる。このとき、折り曲げ部４５が一対の要素折り曲げ部４５ａ，４５ｂを含んでいることにより、折り曲げ部４５を容易に折り曲げることができる。次に、図８（ｃ）に示すように、本体部４１を側板１６の裏側に押し込み、本体部４１の側板側面４１ａの上端を開口３１の上縁に引っかけたまま先端部４４をさらに下方に折り曲げる。次に、図８（ｄ）に示すように、本体部４１を側板１６の外側に配置したまま、本体部４１を下降させて、屈曲した折り曲げ部４５を開口３１の下縁に載せる。この場合、折り曲げ部４５は、開口３１を貫通するように配置され、先端部４４は側板１６の内側に当接する。以上により、固定部材４０の係止部４２が側板１６に係止される。
【００３０】
もちろん、係止部４２を側板１６に係止させる方法としては、図８（ａ）〜（ｄ）に示す方法に限られない。例えば、開口３１の寸法が本体部４１の側板側面４１ａ及び背面４１ｂの寸法に対して十分に大きい場合は、以下の方法により係止部４２を側板１６に係止させてもよい。すなわち、まず、折り曲げ部４５を基部４３及び先端部４４に対して折り曲げる。次に、本体部４１及び基部４３を、側板１６の内側且つ斜め上方から開口３１に挿入する。そして、本体部４１及び基部４３を側板１６の外側に配置するとともに、折り曲げ部４５を開口３１を貫通するように配置し、先端部４４を側板１６の内側に当接させる。
【００３１】
次に、図３及び図５に示すように、側板１６の内側にかご内用品２０ｃのブラケット２０ｃｂを配置する。具体的には、ブラケット２０ｃｂを、その挿通孔５１が固定部材４０の螺合部５２に対向するように配置する。その後、締結部材５０を側板１６の内側からブラケット２０ｃｂの挿通孔５１に挿通させ、固定部材４０の螺合部５２に螺合させて、ブラケット２０ｃｂを固定部材４０に締結させる。その後、手摺り棒２０ｃａをブラケット２０ｃｂに取り付ける。以上により、かご内用品組立体３０は、エレベータかご１０の側板１６に対して組み立てられる。
【００３２】
このように第１の実施の形態によれば、開口３１が設けられたエレベータかご１０の側板１６に対して組み立てられたかご内用品組立体３０は、側板１６の内側に配置されたかご内用品２０と、側板１６に係止された固定部材４０と、固定部材４０にかご内用品２０を側板１６の内側から締結した締結部材５０と、を備えている。固定部材４０は、締結部材５０が螺合された螺合部５２を有する、側板１６の外側に配置された本体部４１と、本体部４１を側板１６に係止した係止部４２と、を有している。そして、係止部４２は、本体部４１に固定された基部４３と、側板１６の内側に当接した先端部４４と、開口３１を貫通し、基部４３と先端部４４とを連結し、基部４３及び先端部４４に対して折り曲げられた折り曲げ部４５と、を含む。かご内用品２０は、例えば、操作盤２０ａ、表示装置２０ｂ、手摺２０ｃ、鏡２０ｄ又は荷摺２０ｅである。
【００３３】
螺合部５２を有する本体部４１が側板１６の外側に係止されていることにより、かご内用品２０を本体部４１に締結させる際、エレベータかご１０の外側において本体部４１を固定する作業者を要しない。また、本体部４１は、本体部４１に固定された係止部４２の折り曲げ部４５が側板１６に設けられた開口３１を貫通し先端部４４が側板１６の内側に当接することにより、側板１６に係止されている。このような本体部４１は、側板１６の内側からの作業のみによって側板１６の外側に係止させることが可能である。すなわち、側板１６の内側から、本体部４１を開口３１に挿入して側板１６の外側に配置し、本体部４１に固定され折り曲げられた係止部４２を開口３１の縁部に係止させることで、本体部４１を側板１６の外側に係止させることが可能である。以上により、本体部４１を側板１６に係止させる作業およびかご内用品２０を本体部４１に締結させる作業のいずれも、側板１６の内側からの作業のみによって行うことが可能である。したがって、かご内用品組立体３０の側板１６への組み立て作業は、側板１６を取り外すことなく、エレベータかご１０の内側からの作業のみによって行うことが可能である。
【００３４】
また、第１の実施の形態によれば、係止部４２の折り曲げ部４５は、互いに離間した一対の要素折り曲げ部４５ａ，４５ｂを含んでいる。このような折り曲げ部４５は、基部４３および先端部４４に対して折り曲げることが容易である。
【００３５】
また、第１の実施の形態によれば、一対の要素折り曲げ部４５ａ，４５ｂは、螺合部５２の両外側に配置されている。これにより、要素折り曲げ部４５ａ，４５ｂが螺合部５２と干渉して締結部材５０を螺合部５２に螺合させることが阻害される、ということが防止される。
【００３６】
また、第１の実施の形態によれば、本体部４１の側板１６側の面４１ａにおいて、螺合部５２の周囲に隆起部５３が設けられている。これにより、側板１６の厚みの分だけ生じる固定部材４０の本体部４１とかご内用品２０との間の隙間を、隆起部５３の厚みの分だけ小さくすることができる。この結果、かご内用品２０を固定部材４０に対し、よりしっかりと締結することが可能である。
【００３７】
また、第１の実施の形態のエレベータかご１０のかご内用品組立方法は、エレベータかご１０の側板１６に対してかご内用品２０を組み立てる、エレベータかご１０のかご内用品組立方法であって、締結部材５０を準備する工程と、締結部材５０が螺合される螺合部５２が設けられた本体部４１、並びに、本体部４１に固定された基部４３、先端部４４、及び、基部４３と先端部４４とを連結し、基部４３及び先端部４４に対して折り曲げ可能な折り曲げ部４５、を含む係止部４２、を有する固定部材４０を準備する工程と、側板１６に開口３１を設ける工程と、固定部材４０の本体部４１の少なくとも一部及び基部４３の少なくとも一部を側板１６の内側から開口３１に挿入し、折り曲げ部４５を折り曲げ、本体部４１を側板１６の外側に配置し、折り曲げ部４５を開口３１に貫通させ、先端部４４を側板１６の内側に当接させて、固定部材４０を側板１６に係止する工程と、側板１６の内側にかご内用品２０を配置し、締結部材５０を、側板１６の内側から螺合部５２に螺合させて、かご内用品２０を固定部材４０に締結させる工程と、を備えている。
【００３８】
側板１６に開口３１を設け、側板１６の内側から固定部材４０の本体部４１を側板１６の外側に配置し、本体部４１に固定された係止部４２を折り曲げて本体部４１を側板１６に係止させることにより、螺合部５２を有する本体部４１を側板１６の内側からの作業のみによって側板１６の外側に係止させることが可能である。また、本体部４１が側板１６の外側において側板１６に係止されていることにより、かご内用品２０を本体部４１に締結させる際、エレベータかご１０の外側において本体部４１を固定する作業者を要しない。以上により、本体部４１を側板１６に係止させる作業およびかご内用品２０を本体部４１に締結させる作業のいずれも、側板１６の内側からの作業のみによって行うことが可能である。したがって、かご内用品組立体３０の側板１６への組み立て作業は、側板１６を取り外すことなく、エレベータかご１０の内側からの作業のみによって行うことが可能である。
【００３９】
（第２の実施の形態）
次に、図９乃至図１２を参照し、第２の実施の形態におけるエレベータかごのかご内用品組立体について説明する。
【００４０】
図９は、本発明の第２の実施の形態に係るエレベータかごのかご内用品組立体の概略構成の一例を示す分解斜視図である。また、図１０は、図９に示すかご内用品組立体の背面図であり、図１１は、側板に係止される前の固定部材を示す斜視図である。また、図１２（ａ）〜（ｄ）は、図１１に示す固定部材をエレベータかごの側板に係止させる方法を説明するための概略図である。
【００４１】
図９乃至図１２に示す第２の実施の形態においては、固定部材の係止部の形状が異なるが、他の構成は、図１乃至図８に示す第１の実施の形態と略同一である。図９乃至図１２に示す第２の実施の形態において、図１乃至図８に示す第１の実施の形態と同一部分には同一符号を付して詳細な説明は省略する。
【００４２】
図９及び図１０に示すように、第２の実施の形態のかご内容品組立体１３０は、固定部材１４０を有する。固定部材１４０の係止部１４２は、図３乃至図５に示す係止部４２と同様に、本体部４１に固定された基部１４３と、側板１６の内側に当接した先端部１４４と、基部１４３と先端部１４４とを連結し、基部１４３及び先端部１４４に対して折り曲げられた折り曲げ部１４５と、を含む。折り曲げ部１４５は、開口３１を貫通している。
【００４３】
図９及び図１０から理解されるように、係止部１４２は、一対の線材１４２ａ，１４２ｂによって形成されている。各線材１４２ａ，１４２ｂは、本体部４１の各側面４１ｃ，４１ｄに固定された要素基部１４３ａ，１４３ｂと、側板１６の内側に当接した要素先端部１４４ａ，１４４ｂと、要素基部１４３ａ，１４３ｂと要素先端部１４４ａ，１４４ｂとを連結する要素折り曲げ部１４５ａ，１４５ｂと、を含んでいる。すなわち、図９及び図１０に示す係止部１４２において、基部１４３は一対の要素基部１４３ａ，１４３ｂを含み、先端部１４４は一対の要素先端部１４４ａ，１４４ｂを含み、折り曲げ部１４５は、一対の要素折り曲げ部１４５ａ，１４５ｂを含んでいる。
【００４４】
図１１に示すように、固定部材１４０が側板１６に係止される前、係止部１４２を構成する各線材１４２ａ，１４２ｂは、全体として本体部４１の各側面４１ｃ，４１ｄに沿って延びている。このような係止部１４２は、容易に作成することができる。各線材１４２ａ，１４２ｂは、溶接などによって本体部４１に固定されている。
【００４５】
次に、このような構成からなる第２の実施の形態の作用、すなわち、かご内用品組立体の側板への組立方法について図９乃至図１２を参照しながら説明する。
【００４６】
まず、側板１６に開口３１を設け、固定部材１４０を側板１６に係止する。具体的には、図１１に示すような、折り曲げ部１４５が折り曲げられる前の固定部材１４０を準備する。そして、図１２（ａ）に示すように、固定部材１４０の本体部４１の側板側面４１ａが下を向くようにして側板側面４１ａを水平にした状態で、本体部４１及び係止部１４２の基部１４３の少なくとも一部を、側板１６の内側から開口３１に挿入する。次に、図１２（ｂ）に示すように、開口３１の上縁に固定部材１４０の本体部４１の背面４１ｂを当接して、先端部１４４を本体部４１から離れる方向（下方向）に引っ張り折り曲げる。次に、図１２（ｃ）に示すように、本体部４１を側板１６の裏側に押し込み、本体部４１の側板側面４１ａの上端を開口３１の上縁に引っかけたまま先端部１４４をさらに下方に折り曲げる。次に、図１２（ｄ）に示すように、本体部４１を側板１６の外側に配置したまま、本体部４１を下降させて、屈曲した折り曲げ部１４５を開口３１の下縁に載せる。この場合、折り曲げ部１４５は、開口３１を貫通するように配置され、先端部１４４は側板１６の内側に当接する。以上により、固定部材１４０の係止部１４２が側板１６に係止される。
【００４７】
次に、図９に示すように、側板１６の内側にかご内用品２０ｃのブラケット２０ｃｂを配置し、締結部材５０を側板１６の内側からブラケット２０ｃｂの挿通孔５１に挿通させ、固定部材１４０の螺合部５２に螺合させて、ブラケット２０ｃｂを固定部材１４０に締結させる。その後、手摺り棒２０ｃａをブラケット２０ｃｂに取り付ける。以上により、かご内用品組立体１３０は、エレベータかご１０の側板１６に対して組み立てられる。
【００４８】
このように第２の実施の形態によれば、係止部１４２は、一対の線材１４２ａ，１４２ｂによって形成されている。これにより、係止部１４２を容易に作成することができる。
【００４９】
本発明の実施の形態を説明したが、上述の実施の形態は、例として提示したものであり、発明の範囲を限定することは意図していない。上述の新規な実施形態は、その他の様々な形態で実施されることが可能であり、発明の要旨を逸脱しない範囲で、種々の省略、置き換え、変更を行うことができる。上述の実施の形態やその変形は、発明の範囲や要旨に含まれるとともに、特許請求の範囲に記載された発明とその均等の範囲に含まれる。
【符号の説明】
【００５０】
１０：エレベータかご、１６：側板、２０：かご内用品、３０：かご内用品組立体、３１：開口、４０固定部材、４１：本体部、４２：係止部、４３：基部、４４：先端部、４５：折り曲げ部、４５ａ：要素折り曲げ部、４５ｂ：要素折り曲げ部、５０：締結部材、５２：螺合部、５３：隆起部
【図１】
2018203452.tif 000003
【図２】
2018203452.tif 000004
【図３】
2018203452.tif 000005
【図４】
2018203452.tif 000006
【図５】
2018203452.tif 000007
【図６】
2018203452.tif 000008
【図７】
2018203452.tif 000009
【図８】
2018203452.tif 000010
【図９】
2018203452.tif 000011
【図１０】
2018203452.tif 000012
【図１１】
2018203452.tif 000013
【図１２】
2018203452.tif 000014
【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
開口が設けられたエレベータかごの側板に対して組み立てられたかご内用品組立体であって、
前記側板の内側に配置されたかご内用品と、前記側板に係止された固定部材と、前記固定部材に前記かご内用品を前記側板の内側から締結した締結部材と、を備え、
前記固定部材は、
前記締結部材が螺合された螺合部を有する、前記側板の外側に配置された本体部と、
前記本体部を前記側板に係止した係止部と、
を有し、
前記係止部は、
前記本体部に固定された基部と、
前記側板の内側に当接した先端部と、
前記開口を貫通し、前記基部と前記先端部とを連結し、前記基部及び前記先端部に対して折り曲げられた折り曲げ部と、を含み、
前記係止部の前記折り曲げ部は、互いに離間した一対の要素折り曲げ部を含んでいる
ことを特徴とするエレベータかごのかご内用品組立体。
【請求項２】
前記一対の要素折り曲げ部は、前記螺合部の両外側に配置されている
ことを特徴とする請求項１に記載のエレベータかごのかご内用品組立体。
【請求項３】
開口が設けられたエレベータかごの側板に対して組み立てられたかご内用品組立体であって、
前記側板の内側に配置されたかご内用品と、前記側板に係止された固定部材と、前記固定部材に前記かご内用品を前記側板の内側から締結した締結部材と、を備え、
前記固定部材は、
前記締結部材が螺合された螺合部を有する、前記側板の外側に配置された本体部と、
前記本体部を前記側板に係止した係止部と、
を有し、
前記係止部は、
前記本体部に固定された基部と、
前記側板の内側に当接した先端部と、
前記開口を貫通し、前記基部と前記先端部とを連結し、前記基部及び前記先端部に対して折り曲げられた折り曲げ部と、を含み、
前記係止部は、一対の線材によって形成されていることを特徴とするエレベータかごのかご内用品組立体。
【請求項４】
前記本体部の前記側板側の面において、前記螺合部の周囲に隆起部が設けられていることを特徴とする請求項１〜３のいずれか一項に記載のエレベータかごのかご内用品組立体。
【請求項５】
開口が設けられたエレベータかごの側板に対して組み立てられたかご内用品組立体であって、
前記側板の内側に配置されたかご内用品と、前記側板に係止された固定部材と、前記固定部材に前記かご内用品を前記側板の内側から締結した締結部材と、を備え、
前記固定部材は、
前記締結部材が螺合された螺合部を有する、前記側板の外側に配置された本体部と、
前記本体部を前記側板に係止した係止部と、
を有し、
前記係止部は、
前記本体部に固定された基部と、
前記側板の内側に当接した先端部と、
前記開口を貫通し、前記基部と前記先端部とを連結し、前記基部及び前記先端部に対して折り曲げられた折り曲げ部と、を含み、
前記本体部の前記側板側の面において、前記螺合部の周囲に隆起部が設けられている
ことを特徴とするエレベータかごのかご内用品組立体。
【請求項６】
前記かご内用品は、手摺、操作盤、表示装置、鏡又は荷摺であることを特徴とする請求項１〜５のいずれか一項に記載のエレベータかごのかご内用品組立体。
【請求項７】
エレベータかごの側板に対してかご内用品を組み立てる、エレベータかごのかご内用品組立方法であって、
締結部材を準備する工程と、
前記締結部材が螺合される螺合部が設けられた本体部、並びに、前記本体部に固定された基部、先端部、及び、前記基部と前記先端部とを連結し、前記基部及び前記先端部に対して折り曲げ可能な折り曲げ部、を含む係止部、を有する固定部材を準備する工程と、
前記側板に開口を設ける工程と、
前記固定部材の前記本体部の少なくとも一部及び前記基部の少なくとも一部を前記側板の内側から前記開口に挿入し、前記折り曲げ部を折り曲げ、前記本体部を前記側板の外側に配置し、前記折り曲げ部を前記開口に貫通させ、前記先端部を前記側板の内側に当接させて、前記固定部材を前記側板に係止する工程と、
前記側板の内側に前記かご内用品を配置し、前記締結部材を、前記側板の内側から前記螺合部に螺合させて、前記かご内用品を前記固定部材に締結させる工程と、
を備えたエレベータかごのかご内用品組立方法。
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
開口が設けられたエレベータかごの側板に対して組み立てられたかご内用品組立体であって、
前記側板の内側に配置されたかご内用品と、前記側板に係止された固定部材と、前記固定部材に前記かご内用品を前記側板の内側から締結した締結部材と、を備え、
前記固定部材は、
前記締結部材が螺合された螺合部を有する、前記側板の外側に配置された本体部と、
前記本体部を前記側板に係止した係止部と、
を有し、
前記係止部は、
前記本体部に固定された基部と、
前記側板の内側に当接した先端部と、
前記開口を貫通し、前記基部と前記先端部とを連結し、前記基部及び前記先端部に対して折り曲げられた折り曲げ部と、を含み、
前記係止部は、一対の線材によって形成されていることを特徴とするエレベータかごのかご内用品組立体。
【請求項２】
前記本体部の前記側板側の面において、前記螺合部の周囲に隆起部が設けられていることを特徴とする請求項１に記載のエレベータかごのかご内用品組立体。
【請求項３】
前記かご内用品は、手摺、操作盤、表示装置、鏡又は荷摺であることを特徴とする請求項１または２に記載のエレベータかごのかご内用品組立体。